(57)【要約】【課題】    本発明は、建築現場などで使用されているシートの隙間に手元のミスなどで、材料等を落としてしまい重大事故などを引き起こしてしまう一つの原因をなくし、また現場関係者とその周りに住む住民の不安を改善する。飛散防止連結シートを提供する。【解決手段】  左右前面，後面連結シート、４枚で構成され、隣接する既存のシートを左右それぞれの前面，後面連結シートで挟み込んだときに既存のシートの穴と適合する部位に穴を形成したことを特徴とする飛散防止連結シート。【選択図】  図１
2006226090.tif 000002
【特許請求の範囲】
【請求項１】
前面連結シート、及び後面連結シートの２枚で構成され、断面形状がＸ状に形成され、隣接する既存のシートを連結できるように、隣接するシートの両周縁部をそれぞれの前面連結シートと、後面連結シートで中心部まで突き当てるように挟み込んだときに、既存の飛散防止シートの縦周縁部の連結部材の通し穴と適合する部位に通し穴を形成したことを特徴とする飛散防止連結シート。
【請求項２】
建造物の周囲に配置される足場の、縦管横管に、通し穴に通された連結部材によって縦横に連結して締着固定され、飛散物を防止する飛散防止シートであって、片側縦周縁部に二股の連結シートを設け、その二股の連結シートの縦周縁部に連結部材の通し穴と、もう片方の縦周縁部に通し穴を、同じ高さになるように等間隔に通し穴を設けたことを特徴とする飛散防止シート。
【請求項３】
建造物の周囲に配置される足場の、縦管横管に、通し穴に通された連結部材によって縦横に連結して締着固定され、飛散物を防止する飛散防止シートであって、両側縦周縁部に二股の連結シートを設け、その二股の連結シートの縦周縁部に連結部材の通し穴を既存の飛散防止シートの縦周縁部の通し穴の位置に適合する高さになるように等間隔に通し穴を設けたことを特徴とする飛散防止シート。
【発明の詳細な説明】
【技術分野】
【０００１】  本発明は、建築現場などで使用されている、足場シート間の隙間から資材や工具、材料等が抜け落ち、第三者災害や重大事故などを未然に防ぐための、飛散防止連結シート本体に関するものである。
【背景技術】
【０００２】  従来、建築現場などで使用されている遮蔽用メッシュシートは、軽量で柔軟性を有して作業性に優れ、また耐久性を有し、繰り返し使用に絶えて経済性に優れ、また通気性に優れているので各種用途に使用されている。
また、遮蔽用メッシュシートは、上記特徴に加え、民家や歩行者など第三者の身を飛来落下物等から守るなどのため使用されている。
このような遮蔽用メッシュシートは、ネット状の方形のメッシュシートの周縁部に所望間隔で通し穴を設け、これら複数枚のメッシュシートが上下左右に並列され、図７のように隣接するメッシュシートの通し穴同士が連結部材により連結されている。
そして、建築物等を囲むように展張される。
【発明の開示】
【発明が解決しようとする課題】
【０００３】  そのために、次のような問題点があった。
上記のような従来例の構成では、メッシュシートを連結部材により連結する際、緊密に連結しなければメッシュシート間に隙間が生じるおそれがある、しかし連結部材により緊密に連結すると、メッシュシートが波打ち連結部に隙間が生じる、このように隙間が生じた場合に、手元のミスあるいは事故などの原因で資材や工具、材料等を落とした場合、図８のように建築現場外に出てしまうことにより第三者災害や重大事故をもたらしてしまうことがあり大変危険で重大事故の原因の一つである。
本発明は、上記のような従来技術の問題点を解決するものであり、資材や工具、材料等の飛来落下など飛散防止等のために隣接するネット状のメッシュシートの連結部の隙間を確実に遮蔽することが出来る。
【課題を解決するための手段】
【０００４】  実施例１
前面連結シート、及び左右後面連結シート、２枚で構成され断面状がＸ状に形成され、隣接する既存のシートを連結できるように隣接するシートの両周縁部を左右それぞれの前面連結シートと、後面連結シートで挟み込んだときに既存のシート本体（８）の通し穴（７）と適合する部位に通し穴（７）を形成したことを特徴とする飛散防止連結シート。【０００５】  実施例２
片側縦周縁部に二股の連結シート（１１）を設け、その二股の連結シート（１１）の縦周縁部に通し穴（７）と、もう片方の縦周縁部に一つの通し穴（７）を、等間隔に通し穴（７）を設けたことを特徴とする連結シート。【０００６】  実施例３
両側縦周縁部に二股の連結シート（１１）を設け、その二股の連結シート（１１）の縦周縁部に通し穴（７）を既存のシート本体（８）の縦周縁部の穴の位置に適合する高さになるように等間隔に通し穴（７）を設けたことを特徴とする連結シート。
【発明の効果】
【０００７】  本発明は、それぞれ前後面連結シート及び、二股の連結シートで既存のシート及び飛散防止シート本体を、図５のように挟み込んで使用するため、シートの隙間に手元のミスなどで資材や工具、材料等を落としてしまっても図６のように二股の連結シートによりそれを外に通さないので、重大事故などを引き起こしてしまう一つの原因をなくしまた、現場関係者とその周りに住む住民の不安を改善する。
【発明を実施するための最良の形態】
【０００８】  以下、本発明の実施の形態を図面を参照しながら説明する。
実施例１
（イ）長方形の縦約５１０ｃｍ横約１４ｃｍの細かい網目からなる断面状がＸ状に形成され、前面連結シート（３）及び後面連結シート（４）を２枚設ける。
（ロ）図２の前面連結シート（３）及び後面連結シート（４）を図１のように、前面連結シート（３）及び後面連結シート（４）の中心部（９）で縫い合わせ、左右それぞれに二股を設ける。
（ハ）図９のように、通し穴（７）を既存のシートの縦周縁部の穴の位置に適合する高さになるように等間隔に穴を設ける。
本発明は、以上の構成よりなりたっている。
本発明を使用するときは、上記の飛散防止連結シート（１）の前面連結シート（３）と後面連結シート（４）の左右の二股の間に既存のシート本体（８）の周縁部を中心部まで突き当てるように、挟み込み前面連結シート（３）と後面連結シート（４）の通し穴（７）に既存のシート本体（８）の通し穴を重ね合わせるその後、右側の前面連結シート（３）の通し穴（７）の方から連結部材（１０）を通し、右側の後面連結シート（４）まで連結部材（１０）を貫通させる、その後連結部材（１０）を左側の後面連結シート（４）の通し穴（７）に通し左側の前面連結シート（４）の通し穴（７）を貫通させそこで、連結部材（１０）を結ぶ、その後上記の作業を繰り返し建築物等を囲むように展張する。【０００９】  以下、本発明の実施の形態を図面を参照しながら説明する。
実施例２
（イ）長方形の細かい網目からなり片側縦周縁部に二股の連結シート（１１）を図３のように設ける。
（ロ）図１１のように二股の連結シート（１１）に通し穴（７）を設け、もう片方の縦周縁部に通し穴（７）を，等間隔に設ける。
本発明は、以上の構成よりなりたっている。
本発明を使用するときは、上記の飛散防止連結シート（２）の二股の連結シート（１１）の二股の間にもう一枚の連結シート（２）の二股の連結シート（１１）の二股でない方のシートを図５のように挟み込み通し穴（７）を重ね合わせ、連結部材（１０）を右から左へ、又は左から右へ図５のように穴から穴に通し結び、その後上記の作業を繰り返し建築物等を囲むように展張する。【００１０】  以下、本発明の実施の形態を図面を参照しながら説明する。
実施例３
（イ）長方形の細かい網目からなり両側縦周縁部に二股の連結シート（１２）と二股の連結シート（１３）を設ける。
（ロ）二股の連結シート（１２）ともう片方の二股の連結シート（１３）の縦周縁部に通し穴（７）を図１０のように既存の飛散防止シートの縦周縁部の通し穴（７）の位置に適合する高さになるように等間隔に通し穴（７）を設る。
本発明は、以上の構成よりなりたっている。
本発明を使用するときは、上記の連結シート本体（１４）の二股の連結シート（１２）の二股の間に既存のシート本体（８）を図５のように挟み込み通し穴（７）を重ね合わせ、連結部材（１０）を右から左へ、又は左から右へ図５のように穴から穴に通し結び、もう片方の二股の連結シート（１３）も、上記のように既存のシート本体（８）を挟み込み通し穴（７）を重ね合わせ、連結部材（１０）を右から左へ、又は左から右へ穴から穴に通し結ぶ、その後上記の作業を繰り返し図９のように連結シート本体（１４）と既存のシート本体（８）を交互に張り合わせ建築物等を囲むように展張する。
【図面の簡単な説明】
【図１】  本発明の斜視図
【図２】  本発明の分解斜視図
【図３】  本発明の斜視図
【図４】  本発明の斜視図
【図５】  本発明の使用状態を示す一部拡大斜視図
【図６】  本発明の方法を実施した時材料等が外に飛び出ないことの説明と使用状態を示す一部拡大斜視図
【図７】  従来の使用状態を示す一部拡大斜視図
【図８】  従来の方法を実施した時に材料等が外に飛び出てしまった時の説明と使用状態を示す一部拡大斜視図
【図９】  本発明の使用状態を示す斜視図
【図１０】  本発明の使用状態を示す斜視図
【図１１】  本発明の使用状態を示す斜視図
【図１２】  本発明の使用状態を示す一部拡大上面図
【図１３】  本発明の使用状態を示す一部拡大上面図
【図１４】  本発明の使用状態を示す一部拡大上面図
【符号の説明】
１    飛散防止連結シート本体
２    飛散防止シート本体
３    前面連結シート
４    後面連結シート
５    足場単管
６    単管
７    通し穴
８    シート本体
９    中心部
１０  連結部材
１１  連結シート
１２  連結シート
１３  連結シート
１４  飛散防止シート本体
【図１】
2006226090.tif 000003
【図２】
2006226090.tif 000004
【図３】
2006226090.tif 000005
【図４】
2006226090.tif 000006
【図５】
2006226090.tif 000007
【図６】
2006226090.tif 000008
【図７】
2006226090.tif 000009
【図８】
2006226090.tif 000010
【図９】
2006226090.tif 000011
【図１０】
2006226090.tif 000012
【図１１】
2006226090.tif 000013
【図１２】
2006226090.tif 000014
【図１３】
2006226090.tif 000015
【図１４】
2006226090.tif 000016